(57)【要約】【課題】２つのレイヤ２スイッチで接続された２つのサーバのいずれか一方が他のネットワークとの通信を確保したまま、かつ２つのサーバの二重化動作を確保して、レイヤ２スイッチを介して行うサーバ同士の通信に使用されるポートを別のポートに変更できるようにする。【解決手段】制御サーバ１０は、サーバ２のポート２Ｐ４で送受信する設定に変更し、次に、サーバ３と通信するサーバをサーバ２とする。制御サーバ１０は、次に、サーバ１のポート１Ｐ３、１Ｐ４で送受信する設定に変更し、次に、サーバ３と通信するサーバをサーバ１とし、次に、サーバ２のポート２Ｐ３で送受信する設定に変更する。【選択図】図１
2012054768.tif 000002
【特許請求の範囲】
【請求項１】
第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバであって、
前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、
前記制御サーバは、
第１サーバの第２ポートと第２サーバの第２ポート間で行っている通信のうち、ある特定の通信に対して第２サーバにおいて第２ポートで送受信する設定から第４ポートで送受信する設定に変更する第１の手段と、
第３サーバと第１のネットワークもしくは第２のネットワークを経由して通信するサーバを第１サーバから第２サーバとする第２の手段と、
第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更する第３の手段と、
第３サーバと第１のネットワークもしくは第２のネットワークを経由して通信するサーバを第２サーバから第１サーバとする第４の手段と、
第１サーバの第１ポートと第２サーバの第１ポート間で行っている通信のうち、前記特定の通信に対して第２サーバにおいて第１ポートで送受信する設定から第３ポートで送受信する設定に変更する第５の手段と
を備えることを特徴とする制御サーバ。
【請求項２】
前記制御サーバは、
第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報が記憶される履歴情報記憶手段
を備えることを特徴とする請求項１記載の制御サーバ。
【請求項３】
第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバであって、
前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、
前記制御サーバは、
第１サーバの第３ポートと第２サーバの第３ポート間で行っている通信のうち、ある特定の通信に対して第２サーバにおいて第３ポートで送受信する設定から第１ポートで送受信する設定に変更する第１の手段と、
第３サーバと第１のネットワークもしくは第２のネットワークを経由して通信するサーバを第１サーバから第２サーバとする第２の手段と、
第１サーバの第３ポートと第２サーバの第３ポート間で行っている通信のうち、前記特定の通信に対して第１サーバにおいて第３ポートで送受信する設定から第１ポートで送受信する設定に変更し、第１サーバの第４ポートと第２サーバの第４ポート間で行っている通信のうち、前記特定の通信に対して第１サーバにおいて第４ポートで送受信する設定から第２ポートで送受信する設定に変更する第３の手段と、
第３サーバと第１のネットワークもしくは第２のネットワークを経由して通信するサーバを第２サーバから第１サーバとする第４の手段と、
第１サーバの第４ポートと第２サーバの第４ポート間で行っている通信のうち、ある特定の通信に対して第２サーバにおいて第４ポートで送受信する設定から第２ポートで送受信する設定に変更する第５の手段と
を備えることを特徴とする制御サーバ。
【請求項４】
第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報が記憶される履歴情報記憶手段
を備え、
前記第１の手段、第３の手段、第５の手段の動作は、前記履歴情報を読み出して得られた当該履歴情報の内容に基づくものである
ことを特徴とする請求項３記載の制御サーバ。
【請求項５】
第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバの動作方法であって、
前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、
前記制御サーバの動作方法は、
第１サーバの第２ポートと第２サーバの第２ポート間で行っている通信のうち、ある特定の通信に対して第２サーバにおいて第２ポートで送受信する設定から第４ポートで送受信する設定に変更する第１の工程と、
第３サーバと第１のネットワークもしくは第２のネットワークを経由して通信するサーバを第１サーバから第２サーバとする第２の工程と、
第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更する第３の工程と、
第３サーバと第１のネットワークもしくは第２のネットワークを経由して通信するサーバを第２サーバから第１サーバとする第４の工程と、
第１サーバの第１ポートと第２サーバの第１ポート間で行っている通信のうち、前記特定の通信に対して第２サーバにおいて第１ポートで送受信する設定から第３ポートで送受信する設定に変更する第５の工程と
を備えることを特徴とする制御サーバの動作方法。
【請求項６】
前記制御サーバは、
第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報を予め設けられた履歴情報記憶手段に記憶させる
ことを特徴とする請求項５記載の制御サーバの動作方法。
【請求項７】
第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバの動作方法であって、
前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、
前記制御サーバの動作方法は、
第１サーバの第３ポートと第２サーバの第３ポート間で行っている通信のうち、ある特定の通信に対して第２サーバにおいて第３ポートで送受信する設定から第１ポートで送受信する設定に変更する第１の工程と、
第３サーバと第１のネットワークもしくは第２のネットワークを経由して通信するサーバを第１サーバから第２サーバとする第２の工程と、
第１サーバの第３ポートと第２サーバの第３ポート間で行っている通信のうち、前記特定の通信に対して第１サーバにおいて第３ポートで送受信する設定から第１ポートで送受信する設定に変更し、第１サーバの第４ポートと第２サーバの第４ポート間で行っている通信のうち、前記特定の通信に対して第１サーバにおいて第４ポートで送受信する設定から第２ポートで送受信する設定に変更する第３の工程と、
第３サーバと第１のネットワークもしくは第２のネットワークを経由して通信するサーバを第２サーバから第１サーバとする第４の工程と、
第１サーバの第４ポートと第２サーバの第４ポート間で行っている通信のうち、ある特定の通信に対して第２サーバにおいて第４ポートで送受信する設定から第２ポートで送受信する設定に変更する第５の工程と
を備えることを特徴とする制御サーバの動作方法。
【請求項８】
前記制御サーバは、
第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報が記憶される履歴情報記憶手段を備え、
前記第１の工程、第３の工程、第５の工程の動作は、前記履歴情報を読み出して得られた当該履歴情報の内容に基づくものである
ことを特徴とする請求項７記載の制御サーバの動作方法。
【発明の詳細な説明】
【技術分野】
【０００１】
本発明は、制御サーバおよびその動作方法に関するものである。
【背景技術】
【０００２】
筐体（シェルフ）に固定された基板（バックプレーン）に２つのレイヤ２スイッチと２つのサーバを接続し、２つのレイヤ２スイッチがそれぞれネットワークを構成することで２系統のネットワークを設け、一方のネットワークでサーバ間を接続し、他方のネットワークでもサーバ間を接続し、通常は一方のレイヤ２スイッチを介して一方のサーバ（運用系のサーバ）が他のネットワークと通信し、サーバ同士も通信し、他方のサーバ（待機系のサーバ）は運用系のサーバに代われるように待機でき、また、他方のレイヤ２スイッチを介しても、一方のサーバ（運用系のサーバ）が他のネットワークと通信し、サーバ同士も通信し、他方のサーバ（待機系のサーバ）は運用系のサーバに代われるように待機できる。
【先行技術文献】
【特許文献】
【０００３】
【特許文献１】特開２００５−５７４６１号公報
【発明の概要】
【発明が解決しようとする課題】
【０００４】
たとえば、運用系サーバと待機系サーバという２つのサーバを用いた二重化構成のシステムで系を切り替えた際に、サービスを中断することなく処理を継続させる技術は、特許文献１において開示されている。
【０００５】
ところが、前述のレイヤ２スイッチを用いたシステムにおいて、レイヤ２スイッチを介して行うサーバ同士の通信に使用されるポートを別のポートへ変更すべく、両サーバに対して設定変更を同時に行うと、他のネットワークとの通信が一時的に行えず、他のネットワークに対するサービスが中断してしまう。また、一方のサーバ、たとえば待機系サーバに対して先に全設定変更を同時に行うと、運用系サーバが動作しているためサービス中断にはならないが、運用系サーバ〜待機系サーバ間通信で使用するポートの設定が運用系サーバ、体系系サーバそれぞれで異なってしまうため運用系サーバ〜待機系サーバ間通信ができず、待機系として動作できない。
【０００６】
また、サーバ同士の通信に使用されるポートを基に戻す場合にも、同様な理由により、他のネットワークとの通信が一時的に行えず他のネットワークに対するサービスが中断してしまったり、運用系サーバ〜待機系サーバ間通信ができず待機系として動作できなかったりするという問題がある。
【０００７】
本発明は、上記の課題に鑑みてなされたものであり、その目的とするところは、２つのレイヤ２スイッチで接続された２つのサーバのいずれか一方が他のネットワークとの通信を確保したまま、かつ２つのサーバの二重化動作を確保して、レイヤ２スイッチを介して行うサーバ同士の通信に使用されるポートを別のポートに変更できるようにする制御サーバおよびその動作方法を提供することにある。
【課題を解決するための手段】
【０００８】
上記の課題を解決するために、本発明は、第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバであって、前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、前記制御サーバは第１サーバの第２ポートと第２サーバの第２ポート間で行っている通信のうち、ある特定の通信に対して第２サーバにおいて第２ポートで送受信する設定から第４ポートで送受信する設定に変更する第１の手段と、第３サーバと第１のネットワークもしくは第２のネットワークを経由して通信するサーバを第１サーバから第２サーバとする第２の手段と、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更する第３の手段と、第３サーバと第１のネットワークもしくは第２のネットワークを経由して通信するサーバを第２サーバから第１サーバとする第４の手段と、第１サーバの第１ポートと第２サーバの第１ポート間で行っている通信のうち、前記特定の通信に対して第２サーバにおいて第１ポートで送受信する設定から第３ポートで送受信する設定に変更する第５の手段とを備えることを特徴とする。
【０００９】
さらに、前記制御サーバは、第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報が記憶される履歴情報記憶手段を備える。
【００１０】
第２の本発明は、第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバであって、前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、前記制御サーバは、第１サーバの第３ポートと第２サーバの第３ポート間で行っている通信のうち、ある特定の通信に対して第２サーバにおいて第３ポートで送受信する設定から第１ポートで送受信する設定に変更する第１の手段と、第３サーバと第１のネットワークもしくは第２のネットワークを経由して通信するサーバを第１サーバから第２サーバとする第２の手段と、第１サーバの第３ポートと第２サーバの第３ポート間で行っている通信のうち、前記特定の通信に対して第１サーバにおいて第３ポートで送受信する設定から第１ポートで送受信する設定に変更し、第１サーバの第４ポートと第２サーバの第４ポート間で行っている通信のうち、前記特定の通信に対して第１サーバにおいて第４ポートで送受信する設定から第２ポートで送受信する設定に変更する第３の手段と、第３サーバと第１のネットワークもしくは第２のネットワークを経由して通信するサーバを第２サーバから第１サーバとする第４の手段と、第１サーバの第４ポートと第２サーバの第４ポート間で行っている通信のうち、ある特定の通信に対して第２サーバにおいて第４ポートで送受信する設定から第２ポートで送受信する設定に変更する第５の手段とを備えることを特徴とする。
【００１１】
さらに、第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報が記憶される履歴情報記憶手段を備え、前記第１の手段、第３の手段、第５の手段の動作は、前記履歴情報を読み出して得られた当該履歴情報の内容に基づくものである。
【００１２】
第３の本発明は、第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバの動作方法であって、前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、前記制御サーバの動作方法は、第１サーバの第２ポートと第２サーバの第２ポート間で行っている通信のうち、ある特定の通信に対して第２サーバにおいて第２ポートで送受信する設定から第４ポートで送受信する設定に変更する第１の工程と、第３サーバと第１のネットワークもしくは第２のネットワークを経由して通信するサーバを第１サーバから第２サーバとする第２の工程と、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更する第３の工程と、第３サーバと第１のネットワークもしくは第２のネットワークを経由して通信するサーバを第２サーバから第１サーバとする第４の工程と、第１サーバの第１ポートと第２サーバの第１ポート間で行っている通信のうち、前記特定の通信に対して第２サーバにおいて第１ポートで送受信する設定から第３ポートで送受信する設定に変更する第５の工程とを備えることを特徴とする。
【００１３】
さらに、前記制御サーバは、第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報を予め設けられた履歴情報記憶手段に記憶させる。
【００１４】
第４の本発明は、第１のレイヤ２スイッチで構成される第１のネットワークと、第２のレイヤ２スイッチで構成される第２のネットワークと、前記第１のネットワークと第１のレイヤ２スイッチを介して接続する第１ポート、第３ポートと、前記第２のネットワークと第２のレイヤ２スイッチを介して接続する第２ポート、第４ポートとを有する第１サーバと、前記第１のネットワークと第１のレイヤ２スイッチを介して接続する第１ポート、第３ポートと、前記第２のネットワークと第２のレイヤ２スイッチを介して接続する第２ポート、第４ポートとを有する第２サーバとを備える通信システムにおいて、前記第１サーバと第２サーバと第１のレイヤ２スイッチと第２のレイヤ２スイッチに前記第１のネットワークと第２のネットワークを介して接続される制御サーバの動作方法であって、前記第１サーバは、該サーバの第１ポートから前記第１のネットワークを経由して、もしくは該サーバの第２ポートから前記第２のネットワークを経由して前記第１のネットワークと第２のネットワークに接続する第３ネットワークに接続される第３サーバと通信を行うことが可能となっており、前記第２サーバは、該サーバの第１ポートから前記第１のネットワークを経由して、もしくは該サーバの第２ポートから前記第２のネットワークを経由して前記第３ネットワークに接続される前記第３サーバと通信を行うことが可能となっており、前記第１サーバと前記第２サーバのうち同時にはいずれか一方が前記第３サーバと通信できるようになっており、前記第１サーバの第１ポートと第２サーバの第１ポートとは前記第１のネットワークを経由して通信可能となっており、前記第１サーバの第２ポートと第２サーバの第２ポートとは前記第２のネットワークを経由して通信可能となっており、前記第１サーバの第３ポートと第２サーバの第３ポートとは前記第１のネットワークを経由して通信可能となっており、前記第１サーバの第４ポートと第２サーバの第４ポートとは前記第２のネットワークを経由して通信可能となっており、前記制御サーバの動作方法は、第１サーバの第３ポートと第２サーバの第３ポート間で行っている通信のうち、ある特定の通信に対して第２サーバにおいて第３ポートで送受信する設定から第１ポートで送受信する設定に変更する第１の工程と、第３サーバと第１のネットワークもしくは第２のネットワークを経由して通信するサーバを第１サーバから第２サーバとする第２の工程と、第１サーバの第３ポートと第２サーバの第３ポート間で行っている通信のうち、前記特定の通信に対して第１サーバにおいて第３ポートで送受信する設定から第１ポートで送受信する設定に変更し、第１サーバの第４ポートと第２サーバの第４ポート間で行っている通信のうち、前記特定の通信に対して第１サーバにおいて第４ポートで送受信する設定から第２ポートで送受信する設定に変更する第３の工程と、第３サーバと第１のネットワークもしくは第２のネットワークを経由して通信するサーバを第２サーバから第１サーバとする第４の工程と、第１サーバの第４ポートと第２サーバの第４ポート間で行っている通信のうち、ある特定の通信に対して第２サーバにおいて第４ポートで送受信する設定から第２ポートで送受信する設定に変更する第５の工程とを備えることを特徴とする。
【００１５】
さらに、前記制御サーバは、第１サーバの第２ポートと第２サーバの第２ポート間で行っている通信のうち、前記特定の通信に対して第２サーバにおいて第２ポートで送受信する設定から第４ポートで送受信する設定に変更したことと、第１サーバの第１ポートと第２サーバの第１ポート間で行っている通信のうち、前記特定の通信に対して第１サーバにおいて第１ポートで送受信する設定から第３ポートで送受信する設定に変更し、第１サーバの第２ポートと第２サーバの第２ポート間で行っている通信のうち、前記特定の通信に対して第１サーバにおいて第２ポートで送受信する設定から第４ポートで送受信する設定に変更したことと、第１サーバの第１ポートと第２サーバの第１ポート間で行っている通信のうち、前記特定の通信に対して第２サーバにおいて第１ポートで送受信する設定から第３ポートで送受信する設定に変更したこととを示す履歴情報が記憶される履歴情報記憶手段を備え、前記第１の工程、第３の工程、第５の工程の動作は、前記履歴情報を読み出して得られた当該履歴情報の内容に基づくものである。
【発明の効果】
【００１６】
本発明によれば、２つのレイヤ２スイッチで接続された２つのサーバのいずれか一方が他のネットワークとの通信を確保したまま、かつ２つのサーバの二重化動作を確保して、レイヤ２スイッチを介して行うサーバ同士の通信に使用されるポートを別のポートに変更することができる。
【図面の簡単な説明】
【００１７】
【図１】第１実施の形態に係る制御サーバを利用した通信システムの構成図である。
【図２】第１の実施の形態においてサーバ２の通信に対してポート２Ｐ４で送受信する設定に変更する工程１を示す図である。
【図３】第１の実施の形態において運用系サーバをサーバ１からサーバ２へ切り替える工程２を示す図である。
【図４】第１の実施の形態においてサーバ１の通信に対してポート１Ｐ３、１Ｐ４で送受信する設定に変更する工程３を示す図である。
【図５】第１の実施の形態において運用系サーバをサーバ２からサーバ１へ切り替える工程４を示す図である。
【図６】第１の実施の形態においてサーバ２の通信に対してポート２Ｐ３で送受信する設定に変更する工程５を示す図である。
【図７】第２実施の形態に係る制御サーバを利用した通信システムの構成図である。
【図８】第２の実施の形態において制御サーバ１０がポート変更の動作を実行する際の処理の流れを示すフローチャートである。
【図９】第２の実施の形態においてサーバ２の通信に対してポート２Ｐ１で送受信する設定に変更する工程１を示す図である。
【図１０】第２の実施の形態において運用系サーバをサーバ１からサーバ２へ切り替える工程２を示す図である。
【図１１】第２の実施の形態においてサーバ１の通信に対してポート１Ｐ１、１Ｐ２で送受信する設定に変更する工程３を示す図である。
【図１２】第２の実施の形態において運用系サーバをサーバ１からサーバ２へ切り替える工程４を示す図である。
【図１３】第２の実施の形態においてサーバ２の通信に対してポート２Ｐ２で送受信する設定に変更する工程５を示す図である。
【発明を実施するための形態】
【００１８】
以下、本発明の実施の形態について図面を参照して説明する。
【００１９】
［第１の実施の形態］
図１は、第１実施の形態に係る制御サーバを利用した通信システムの構成図である。
【００２０】
サーバ１、サーバ２、レイヤ２スイッチＳＢ１およびレイヤ２スイッチＳＢ２は、それぞれ基板であり、図示しない筐体（以下、シェルフ）に固定された基板であるバックプレーン（以下、単にバックプレーン）にコネクタで接続される。レイヤ２スイッチＳＢ１は、ネットワークＮ１を構成し、レイヤ２スイッチＳＢ２はネットワークＮ２を構成している。
【００２１】
サーバ１は、ネットワークＮ１とレイヤ２スイッチＳＢ１を介して接続するポート１Ｐ１、１Ｐ３と、ネットワークＮ２とレイヤ２スイッチＳＢ２を介して接続するポート１Ｐ２、１Ｐ４を有する。
【００２２】
サーバ２は、ネットワークＮ１とレイヤ２スイッチＳＢ１を介して接続するポート２Ｐ１、２Ｐ３と、ネットワークＮ２とレイヤ２スイッチＳＢ２を介して接続するポート２Ｐ２、２Ｐ４を有する。
【００２３】
制御サーバ１０は、サーバ１、２、レイヤ２スイッチＳＢ１、ＳＢ２にネットワークＮ１、Ｎ２を介して接続される。
【００２４】
制御サーバ１０は、設定変更の履歴を示す履歴情報を記憶する履歴情報記憶部１０１を備えている。
【００２５】
サーバ１はポート１Ｐ１からネットワークＮ１を経由して、もしくはポート１Ｐ２からネットワークＮ２を経由して、ネットワークＮ１、Ｎ２に接続するネットワークＮ３に接続されるサーバ３と通信を行うことが可能となっている。
【００２６】
サーバ３は、シェルフ内にあってもシェルフ外にあってもよい。
【００２７】
サーバ２はポート２Ｐ１からネットワークＮ１を経由して、もしくはポート２Ｐ２からネットワークＮ２を経由して、ネットワークＮ３に接続されるサーバ３と通信を行うことが可能となっている。
【００２８】
サーバ１、２のうち同時にはいずれか一方がサーバ３と通信できるようになっている。
【００２９】
ポート１Ｐ１とポート２Ｐ１とはネットワークＮ１を経由して通信可能となっている。ポート１Ｐ２とポート２Ｐ２とはネットワークＮ２を経由して通信可能となっている。ポート１Ｐ３とポート２Ｐ３とはネットワークＮ１を経由して通信可能となっている。ポート１Ｐ４とポート２Ｐ４とはネットワークＮ２を経由して通信可能となっている。
【００３０】
サーバ１、２は、ネットワークＮ１、Ｎ２を経由して、それぞれのデータ同士を等しくするつまりデータ同期のための通信を行うことが可能となっている。
【００３１】
（第１の実施の形態の動作）
次に、ポート１Ｐ２、２Ｐ２間で行っている通信のうち、ある特定の通信に対して、ポート１Ｐ４、２Ｐ４間で送受信する設定に変更し、且つ、ポート１Ｐ１、２Ｐ１間で行っている通信のうち、前記特定の通信に対して、ポート１Ｐ３、２Ｐ３間で送受信する設定に変更する動作について説明する。
【００３２】
図２〜図６は、この動作の各工程の様子を示す図である。
【００３３】
（工程１：サーバ２の通信に対してポート２Ｐ４で送受信する設定に変更）
図２において、まず、制御サーバ１０は、サーバ１のポート１Ｐ２とサーバ２のポート２Ｐ２間で行っている通信のうち、前記特定の通信に対して、サーバ２においてポート２Ｐ２で送受信する設定からポート２Ｐ４で送受信する設定に変更する。なお、制御サーバ１０は、必要ならばサーバ２を再起動させる。
【００３４】
設定変更や再起動の間、サーバ２は使用できないが、サーバ３に対する通信は、サーバ１によって可能となっている。
【００３５】
また、サーバ１、２間のデータ同期については、設定変更によりネットワークＮ２経由では不可能だが、ネットワークＮ１経由では可能である。
【００３６】
サーバ２が使用できない間、サーバ１、２間にはデータの差異が生じることがあるが、サーバ２が使用できるようになってから、ネットワークＮ１経由でデータ同期が行われ、データの差異は解消される。
【００３７】
制御サーバ１０は、また、このような設定変更を行った日（設定変更日）、前記特定の通信については、サーバ２のポート２Ｐ２で送受信する設定からポート２Ｐ４で送受信する設定に変更したこと、その他の必要事項を示す履歴情報を履歴情報記憶部１０１に記憶させる。
【００３８】
（工程２：運用系サーバをサーバ１からサーバ２へ切り替え）
図３に進み、制御サーバ１０は、運用系サーバをサーバ１からサーバ２へ切り替え、待機系サーバをサーバ２からサーバ１へ切り替える。
【００３９】
つまり、サーバ３とネットワークＮ１もしくはネットワークＮ２を経由して通信するサーバをサーバ２とする。
【００４０】
（工程３：サーバ１の通信に対してポート１Ｐ３、１Ｐ４で送受信する設定に変更）
図４に進み、制御サーバ１０は、サーバ１のポート１Ｐ１とサーバ２のポート２Ｐ１間で行っている通信のうち、前記特定の通信に対してサーバ１においてポート１Ｐ１で送受信する設定からポート１Ｐ３で送受信する設定に変更し、サーバ１のポート１Ｐ２とサーバ２のポート２Ｐ２間で行っている通信のうち、前記特定の通信に対してサーバ１においてポート１Ｐ２で送受信する設定からポート１Ｐ４で送受信する設定に変更する。なお、制御サーバ１０は、必要ならばサーバ１を再起動させる。
【００４１】
設定変更や再起動の間、サーバ１は使用できないが、サーバ３に対する通信は、サーバ２によって可能となっている。
【００４２】
また、サーバ１、２間のデータ同期については、設定変更によりネットワークＮ１経由では不可能だが、ネットワークＮ２経由では可能となる。
【００４３】
この際、新たに可能となった通信つまり、ポート１Ｐ４とポート２Ｐ４の間の通信が正常に行われることを確認するのが好ましい。
【００４４】
サーバ１が使用できない間、サーバ１、２間にはデータの差異が生じることがあるが、サーバ１が使用できるようになってから、ネットワークＮ２経由でデータ同期が行われ、データの差異は解消される。
【００４５】
制御サーバ１０は、また、前述の履歴情報に、前記特定の通信については、サーバ１のポート１Ｐ１で送受信する設定からポート１Ｐ３で送受信する設定に変更したこと、サーバ１のポート１Ｐ２で送受信する設定からポート１Ｐ４で送受信する設定に変更したこと、その他の必要事項をに記憶させる。
【００４６】
（工程４：運用系サーバをサーバ２からサーバ１へ切り替え）
図５に進み、制御サーバ１０は、運用系サーバをサーバ２からサーバ１へ切り替え（戻し）、待機系サーバをサーバ１からサーバ２へ切り替える（戻す）。
【００４７】
つまり、サーバ３とネットワークＮ１もしくはネットワークＮ２を経由して通信するサーバをサーバ１とする。
【００４８】
（工程５：サーバ２の通信に対してポート２Ｐ３で送受信する設定に変更）
図６に進み、制御サーバ１０は、サーバ１のポート１Ｐ１とサーバ２のポート２Ｐ１間で行っている通信のうち、前記特定の通信に対してサーバ２においてポート２Ｐ１で送受信する設定からポート２Ｐ３で送受信する設定に変更する。なお、制御サーバ１０は、必要ならばサーバ２を再起動させる。
【００４９】
設定変更や再起動の間、サーバ２は使用できないが、サーバ３に対する通信は、サーバ１によって可能となっている。
【００５０】
また、サーバ１、２間のデータ同期については、設定変更によりネットワークＮ１、Ｎ２経由では可能となる。
【００５１】
この際、新たに可能となった通信つまり、ポート１Ｐ３とポート２Ｐ３間の通信が正常に行われることを確認するのが好ましい。
【００５２】
サーバ２が使用できない間、サーバ１、２間にはデータの差異が生じることがあるが、サーバ２が使用できるようになってから、ネットワークＮ１またはＮ２経由でデータ同期が行われ、データの差異は解消される。
【００５３】
制御サーバ１０は、また、前述の履歴情報に、前記特定の通信については、サーバ２のポート２Ｐ１で送受信する設定からポート２Ｐ３で送受信する設定に変更したこと、その他の必要事項をに記憶させる。
【００５４】
以上説明したように、制御サーバ１０は、第１のレイヤ２スイッチ（ＳＢ１）で構成される第１のネットワーク（Ｎ１）と、第２のレイヤ２スイッチ（ＳＢ２）で構成される第２のネットワーク（Ｎ２）と、第１のネットワークと第１のレイヤ２スイッチを介して接続する第１ポート（１Ｐ１）、第３ポート（１Ｐ３）と、第２のネットワークと第２のレイヤ２スイッチを介して接続する第２ポート（１Ｐ２）、第４ポート（１Ｐ４）とを有する第１サーバ（１）と、第１のネットワークと第１のレイヤ２スイッチを介して接続する第１ポート（２Ｐ１）、第３ポート（２Ｐ３）と、第２のネットワークと第２のレイヤ２スイッチを介して接続する第２ポート（２Ｐ２）、第４ポート（２Ｐ４）とを有する第２サーバ（２）とを備える通信システムにおいて、第１サーバと第２サーバと第１のレイヤ２スイッチと第２のレイヤ２スイッチに第１のネットワークと第２のネットワークを介して接続される制御サーバであって、第１サーバは、該サーバの第１ポートから第１のネットワークを経由して、もしくは該サーバの第２ポートから第２のネットワークを経由して第１のネットワークと第２のネットワークに接続する第３ネットワーク（Ｎ３）に接続される第３サーバ（３）と通信を行うことが可能となっており、第２サーバは、該サーバの第１ポートから第１のネットワークを経由して、もしくは該サーバの第２ポートから第２のネットワークを経由して第３ネットワークに接続される第３サーバと通信を行うことが可能となっており、第１サーバと第２サーバのうち同時にはいずれか一方が第３サーバと通信できるようになっており、第１サーバの第１ポートと第２サーバの第１ポートとは第１のネットワークを経由して通信可能となっており、第１サーバの第２ポートと第２サーバの第２ポートとは第２のネットワークを経由して通信可能となっており、第１サーバの第３ポートと第２サーバの第３ポートとは第１のネットワークを経由して通信可能となっており、第１サーバの第４ポートと第２サーバの第４ポートとは第２のネットワークを経由して通信可能となっており、制御サーバは、第１サーバの第２ポートと第２サーバの第２ポート間で行っている通信のうち、ある特定の通信に対して第２サーバにおいて第２ポートで送受信する設定から第４ポートで送受信する設定に変更する第１の手段と、第３サーバと第１のネットワークもしくは第２のネットワークを経由して通信するサーバを第２サーバとする第２の手段と、第１サーバの第１ポートと第２サーバの第１ポート間で行っている通信のうち、特定の通信に対して第１サーバにおいて第１ポートで送受信する設定から第３ポートで送受信する設定に変更し、第１サーバの第２ポートと第２サーバの第２ポート間で行っている通信のうち、特定の通信に対して第１サーバにおいて第２ポートで送受信する設定から第４ポートで送受信する設定に変更する第３の手段と、第３サーバと第１のネットワークもしくは第２のネットワークを経由して通信するサーバを第１サーバとする第４の手段と、第１サーバの第１ポートと第２サーバの第１ポート間で行っている通信のうち、特定の通信に対して第２サーバにおいて第１ポートで送受信する設定から第３ポートで送受信する設定に変更する第５の手段とを備えることで、２つのレイヤ２（ＳＢ１、ＳＢ２）で接続された２つのサーバ（１、２）のいずれか一方が他のネットワーク（Ｎ３）との通信を確保したまま、かつ２つのサーバの二重化動作を確保して、レイヤ２スイッチを介して行うサーバ同士の通信に使用されるポートを別のポートに変更することができる。
【００５５】
なお、制御サーバは、第１サーバの第２ポートと第２サーバの第２ポート間で行っている通信のうち、特定の通信に対して第２サーバにおいて第２ポートで送受信する設定から第４ポートで送受信する設定に変更したことと、第１サーバの第１ポートと第２サーバの第１ポート間で行っている通信のうち、特定の通信に対して第１サーバにおいて第１ポートで送受信する設定から第３ポートで送受信する設定に変更し、第１サーバの第２ポートと第２サーバの第２ポート間で行っている通信のうち、特定の通信に対して第１サーバにおいて第２ポートで送受信する設定から第４ポートで送受信する設定に変更したことと、第１サーバの第１ポートと第２サーバの第１ポート間で行っている通信のうち、特定の通信に対して第２サーバにおいて第１ポートで送受信する設定から第３ポートで送受信する設定に変更したこととを示す履歴情報が記憶される履歴情報記憶手段（１０１）を備え、かかる履歴情報を読み出して得られた当該履歴情報の内容に基づいて、ポートを戻すことができる。
【００５６】
［第２の実施の形態］
図７は、第２実施の形態に係る制御サーバを利用した通信システムの構成図である。
【００５７】
この通信システムは、第１の実施の形態における工程５終了後の通信システムに等しいものであり、サーバやレイヤ２スイッチなどの個々の構成についての説明は省略する。
【００５８】
（第２の実施の形態の動作）
次に、ポート１Ｐ３、２Ｐ３間で行っている通信のうち、前記特定の通信に対して、ポート１Ｐ１、２Ｐ１間で送受信する設定に変更し、且つ、ポート１Ｐ４、２Ｐ４間で行っている通信のうち、前記特定の通信に対して、ポート１Ｐ２、２Ｐ２間で送受信する設定に変更する動作について説明する。
【００５９】
図８は、制御サーバ１０がこのようなポート変更の動作を実行する際の処理の流れを示すフローチャートである。なお、制御サーバ１０は、予め変数ＳＴＥＰを設け、これを１に初期化してあることとする。
【００６０】
まず、制御サーバ１０は、設定変更日が入力されたら（Ｓ１）、入力された設定変更日を示す履歴情報を履歴情報記憶部１０１から検索する（Ｓ３）。制御サーバ１０は、該当の履歴情報がなかったなら（Ｓ３：ＮＯ）、エラー出力（例えば、該当の履歴情報がなかったことを示す画面表示など）を行い（Ｓ５）、処理を終える。
【００６１】
制御サーバ１０は、該当の履歴情報があったなら（Ｓ３：ＹＥＳ）、変数ＳＴＥＰの値に応じて処理を分岐させる（Ｓ７）。制御サーバ１０は、変数ＳＴＥＰが１なら、サーバ１のポート１Ｐ３とサーバ２のポート２Ｐ３間で行っている通信のうち、前記特定の通信に対してサーバ２においてポート２Ｐ３で送受信する設定からポート２Ｐ１で送受信する設定に変更する（戻す）（Ｓ９）。
【００６２】
次に、制御サーバ１０は、運用系サーバをサーバ１からサーバ２へ切り替え、待機系サーバをサーバ２からサーバ１へ切り替える（Ｓ１１）。次に、制御サーバ１０は、変数ＳＴＥＰに１を加算し（Ｓ１３）、ステップＳ７に戻る。
【００６３】
制御サーバ１０は、変数ＳＴＥＰが２なので、サーバ１のポート１Ｐ３とサーバ２のポート２Ｐ３間で行っている通信のうち、前記特定の通信に対してサーバ１においてポート１Ｐ３で送受信する設定からポート１Ｐ１で送受信する設定に変更し（戻し）、サーバ１のポート１Ｐ４とサーバ２のポート２Ｐ４間で行っている通信のうち、前記特定の通信に対してサーバ１においてポート１Ｐ４で送受信する設定からポート１Ｐ２で送受信する設定に変更する（戻す）（Ｓ１５）。次に、制御サーバ１０は、運用系サーバをサーバ２からサーバ１へ切り替え（戻し）、待機系サーバをサーバ１からサーバ２へ切り替える（戻す）（Ｓ１７）。
【００６４】
次に、制御サーバ１０は、変数ＳＴＥＰに１を加算し（Ｓ１３）、ステップＳ７に戻る。制御サーバ１０は、変数ＳＴＥＰが３なので、サーバ１のポート１Ｐ４とサーバ２のポート２Ｐ４間で行っている通信のうち、前記特定の通信に対して、サーバ２においてポート２Ｐ４で送受信する設定からポート２Ｐ２で送受信する設定に変更する（戻す）（Ｓ１９）。
【００６５】
次に、制御サーバ１０は、変数ＳＴＥＰに１を加算し（Ｓ１３）、ステップＳ７に戻る。制御サーバ１０は、変数ＳＴＥＰが４なので、処理を終える。
【００６６】
図９〜図１３は、この動作の各工程の様子を示す図である。
【００６７】
（工程１：サーバ２の通信に対してポート２Ｐ１で送受信する設定に変更）
図９に示すように、制御サーバ１０は、履歴情報記憶部１０１から履歴情報を読み出し、つまり、図８のステップＳ９において、ステップＳ３で検索した履歴情報を履歴情報記憶部１０１から読み出し、履歴情報に最も新しく記憶された事項つまり、前記特定の通信については、サーバ２のポート２Ｐ１で送受信する設定からポート２Ｐ３で送受信する設定に変更したという事項に基づいて、サーバ１のポート１Ｐ３とサーバ２のポート２Ｐ３間で行っている通信のうち、前記特定の通信に対してサーバ２においてポート２Ｐ３で送受信する設定からポート２Ｐ１で送受信する設定に変更する。なお、制御サーバ１０は、必要ならばサーバ２を再起動させる。
【００６８】
設定変更や再起動の間、サーバ２は使用できないが、サーバ３に対する通信は、サーバ１によって可能となっている。
【００６９】
また、サーバ１、２間のデータ同期については、設定変更によりネットワークＮ１経由では不可能だが、ネットワークＮ２経由では可能である。
【００７０】
サーバ２が使用できない間、サーバ１、２間にはデータの差異が生じることがあるが、サーバ２が使用できるようになってから、ネットワークＮ２経由でデータ同期が行われ、データの差異は解消される。
【００７１】
（工程２：運用系サーバをサーバ１からサーバ２へ切り替え）
図１０に進み、制御サーバ１０は、図８のステップＳ１１において、運用系サーバをサーバ１からサーバ２へ切り替え、待機系サーバをサーバ２からサーバ１へ切り替える。
【００７２】
つまり、サーバ３とネットワークＮ１もしくはネットワークＮ２を経由して通信するサーバをサーバ２とする。
【００７３】
（工程３：サーバ１の通信に対してポート１Ｐ１、１Ｐ２で送受信する設定に変更）
図１１に進み、制御サーバ１０は、図８のステップＳ１５において、読み出した履歴情報において次に新しく記憶された２つの事項つまり、前記特定の通信については、サーバ１のポート１Ｐ１で送受信する設定からポート１Ｐ３で送受信する設定に変更したという事項、サーバ１のポート１Ｐ２で送受信する設定からポート１Ｐ４で送受信する設定に変更したという事項に基づいて、サーバ１のポート１Ｐ３とサーバ２のポート２Ｐ３間で行っている通信のうち、前記特定の通信に対してサーバ１においてポート１Ｐ３で送受信する設定からポート１Ｐ１で送受信する設定に変更し、サーバ１のポート１Ｐ４とサーバ２のポート２Ｐ４間で行っている通信のうち、前記特定の通信に対してサーバ１においてポート１Ｐ４で送受信する設定からポート１Ｐ２で送受信する設定に変更する。なお、制御サーバ１０は、必要ならばサーバ１を再起動させる。
【００７４】
設定変更や再起動の間、サーバ１は使用できないが、サーバ３に対する通信は、サーバ２によって可能となっている。
【００７５】
また、サーバ１、２間のデータ同期については、設定変更によりネットワークＮ２経由では不可能だが、ネットワークＮ１経由では可能となる。
【００７６】
この際、新たに可能となった通信つまり、ポート１Ｐ１とポート２Ｐ１の間の通信が正常に行われることを確認するのが好ましい。
【００７７】
サーバ１が使用できない間、サーバ１、２間にはデータの差異が生じることがあるが、サーバ１が使用できるようになってから、ネットワークＮ１経由でデータ同期が行われ、データの差異は解消される。
【００７８】
（工程４：運用系サーバをサーバ１からサーバ２へ切り替え）
図１２に進み、制御サーバ１０は、図８のステップＳ１７において、運用系サーバをサーバ２からサーバ１へ切り替え、待機系サーバをサーバ１からサーバ２へ切り替える。
【００７９】
つまり、サーバ３とネットワークＮ１もしくはネットワークＮ２を経由して通信するサーバをサーバ１とする。
【００８０】
（工程５：サーバ２の通信に対してポート２Ｐ２で送受信する設定に変更）
図１３に進み、制御サーバ１０は、図８のステップＳ１９において、読み出した履歴情報において最初に記憶された事項つまり、前記特定の通信については、サーバ２のポート２Ｐ２で送受信する設定からポート２Ｐ４で送受信する設定に変更したという事項に基づいて、サーバ１のポート１Ｐ４とサーバ２のポート２Ｐ４間で行っている通信のうち、前記特定の通信に対して、サーバ２においてポート２Ｐ４で送受信する設定からポート２Ｐ２で送受信する設定に変更する。なお、制御サーバ１０は、必要ならばサーバ２を再起動させる。
【００８１】
設定変更や再起動の間、サーバ２は使用できないが、サーバ３に対する通信は、サーバ１によって可能となっている。
【００８２】
また、サーバ１、２間のデータ同期については、設定変更によりネットワークＮ１、Ｎ２経由では可能となる。
【００８３】
この際、新たに可能となった通信つまり、ポート１Ｐ２とポート２Ｐ２間の通信が正常に行われることを確認するのが好ましい。
【００８４】
サーバ２が使用できない間、サーバ１、２間にはデータの差異が生じることがあるが、サーバ２が使用できるようになってから、ネットワークＮ１またはＮ２経由でデータ同期が行われ、データの差異は解消される。
【００８５】
以上説明したように、制御サーバ１０は、第１のレイヤ２スイッチ（ＳＢ１）で構成される第１のネットワーク（Ｎ１）と、第２のレイヤ２スイッチ（ＳＢ２）で構成される第２のネットワーク（Ｎ２）と、第１のネットワークと第１のレイヤ２スイッチを介して接続する第１ポート（１Ｐ１）、第３ポート（１Ｐ３）と、第２のネットワークと第２のレイヤ２スイッチを介して接続する第２ポート（１Ｐ２）、第４ポート（１Ｐ４）とを有する第１サーバ（１）と、第１のネットワークと第１のレイヤ２スイッチを介して接続する第１ポート（２Ｐ１）、第３ポート（２Ｐ３）と、第２のネットワークと第２のレイヤ２スイッチを介して接続する第２ポート（２Ｐ２）、第４ポート（２Ｐ４）とを有する第２サーバ（２）とを備える通信システムにおいて、第１サーバと第２サーバと第１のレイヤ２スイッチと第２のレイヤ２スイッチに第１のネットワークと第２のネットワークを介して接続される制御サーバであって、第１サーバは、該サーバの第１ポートから第１のネットワークを経由して、もしくは該サーバの第２ポートから第２のネットワークを経由して第１のネットワークと第２のネットワークに接続する第３ネットワーク（Ｎ３）に接続される第３サーバ（３）と通信を行うことが可能となっており、第２サーバは、該サーバの第１ポートから第１のネットワークを経由して、もしくは該サーバの第２ポートから第２のネットワークを経由して第３ネットワークに接続される第３サーバと通信を行うことが可能となっており、第１サーバと第２サーバのうち同時にはいずれか一方が第３サーバと通信できるようになっており、第１サーバの第１ポートと第２サーバの第１ポートとは第１のネットワークを経由して通信可能となっており、第１サーバの第２ポートと第２サーバの第２ポートとは第２のネットワークを経由して通信可能となっており、第１サーバの第３ポートと第２サーバの第３ポートとは第１のネットワークを経由して通信可能となっており、第１サーバの第４ポートと第２サーバの第４ポートとは第２のネットワークを経由して通信可能となっており、制御サーバは、第１サーバの第３ポートと第２サーバの第３ポート間で行っている通信のうち、ある特定の通信に対して第２サーバにおいて第３ポートで送受信する設定から第１ポートで送受信する設定に変更する第１の手段と、第３サーバと第１のネットワークもしくは第２のネットワークを経由して通信するサーバを第２サーバとする第２の手段と、第１サーバの第３ポートと第２サーバの第３ポート間で行っている通信のうち、特定の通信に対して第１サーバにおいて第３ポートで送受信する設定から第１ポートで送受信する設定に変更し、第１サーバの第４ポートと第２サーバの第４ポート間で行っている通信のうち、特定の通信に対して第１サーバにおいて第４ポートで送受信する設定から第２ポートで送受信する設定に変更する第３の手段と、第３サーバと第１のネットワークもしくは第２のネットワークを経由して通信するサーバを第１サーバとする第４の手段と、第１サーバの第４ポートと第２サーバの第４ポート間で行っている通信のうち、ある特定の通信に対して第２サーバにおいて第４ポートで送受信する設定から第２ポートで送受信する設定に変更する第５の手段とを備えることで、２つのレイヤ２（ＳＢ１、ＳＢ２）で接続された２つのサーバ（１、２）のいずれか一方が他のネットワーク（Ｎ３）との通信を確保したまま、かつ２つのサーバの二重化動作を確保して、レイヤ２スイッチを介して行うサーバ同士の通信に使用されるポートを別のポートに変更することができる。
【００８６】
また、制御サーバ１０は、第１サーバの第２ポートと第２サーバの第２ポート間で行っている通信のうち、特定の通信に対して第２サーバにおいて第２ポートで送受信する設定から第４ポートで送受信する設定に変更したことと、第１サーバの第１ポートと第２サーバの第１ポート間で行っている通信のうち、特定の通信に対して第１サーバにおいて第１ポートで送受信する設定から第３ポートで送受信する設定に変更し、第１サーバの第２ポートと第２サーバの第２ポート間で行っている通信のうち、特定の通信に対して第１サーバにおいて第２ポートで送受信する設定から第４ポートで送受信する設定に変更したことと、第１サーバの第１ポートと第２サーバの第１ポート間で行っている通信のうち、特定の通信に対して第２サーバにおいて第１ポートで送受信する設定から第３ポートで送受信する設定に変更したこととを示す履歴情報が記憶される履歴情報記憶手段（１０１）を備え、第１の手段、第３の手段、第５の手段の動作は、履歴情報を読み出して得られた当該履歴情報の内容に基づいて行うことができる。
【００８７】
なお、本実施の形態に係る制御サーバ１０としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００８８】
１、２、３…サーバ
１０…制御サーバ
１０１…履歴情報記憶部
Ｎ１、Ｎ２、Ｎ３…ネットワーク
ＳＢ１、ＳＢ２  レイヤ２スイッチ
【図１】
2012054768.tif 000003
【図２】
2012054768.tif 000004
【図３】
2012054768.tif 000005
【図４】
2012054768.tif 000006
【図５】
2012054768.tif 000007
【図６】
2012054768.tif 000008
【図７】
2012054768.tif 000009
【図８】
2012054768.tif 000010
【図９】
2012054768.tif 000011
【図１０】
2012054768.tif 000012
【図１１】
2012054768.tif 000013
【図１２】
2012054768.tif 000014
【図１３】
2012054768.tif 000015